(57)【特許請求の範囲】
【請求項１】
光入力信号から電気信号に変換されたデータ信号のレベルを検出し、予め定められた値を下回っている場合には、第１のアラーム信号を発出する信号断検出器と、
電圧制御発振器（ＶＣＯ）の周波数と位相が前記データ信号に同期するように制御するＶＣＯ制御信号を監視し、予め定められた値を上回っているときに第２のアラーム信号を発出する同期はずれ検出器と
を備え、
前記信号断検出器は、
前記データ信号の自己相関を算出し、自己相関信号として出力する自己相関検出器と、
前記自己相関信号の大きさを少なくとも１つの所定の基準電圧と比較し、前記自己相関信号の方が大きい場合に前記第１のアラーム信号を出力する第１の比較器と
を備え、
前記同期はずれ検出器は、
前記電圧制御発振器（ＶＣＯ）の周波数と位相が前記データ信号に同期するように制御するＶＣＯ制御信号と所定の基準電圧を比較し、ＶＣＯ制御信号の方が大きいときは前記第２のアラーム信号を出力する第２の比較器と
を備えており、
前記信号断検出器の前記第１のアラーム信号の発出領域と、
前記同期はずれ検出器の前記第２のアラーム信号の発出領域と
が重なるように、前記第１の比較器の前記基準電圧が設定されていることを特徴とする信号入力断検出器。
【請求項２】
請求項１記載の信号入力断検出器であって、
前記信号入力断検出器は、さらに、
前記第１のアラーム信号及び第２のアラーム信号の発出状況に応じて第３のアラーム信号を発出するアラーム処理器
を備えていることを特徴とする信号入力断検出器。
【請求項３】
請求項１または請求項２のいずれかの請求項に記載された信号入力断検出器であって、
前記自己相関検出器は、
前記データ信号を予め定められた遅延時間だけ遅延させ、遅延データ信号として出力する遅延素子と、
前記データ信号と前記遅延データ信号の排他的論理和を求め、排他的論理和信号として出力する排他的論理和回路と、
前記排他的論理和信号の平均値を算出する第１の積分器と
を備えていることを特徴とする信号入力断検出器。
【請求項４】
請求項３記載の信号入力断検出器であって、
前記遅延時間は、前記データ信号の１ビットの時間長の半分の時間であることを特徴とする信号入力断検出器。
【請求項５】
請求項１乃至請求項４のいずれかの請求項に記載された信号入力断検出器であって、
前記少なくとも１つの所定の基準電圧は、
前記データ信号が十分大きいときの前記平均値と零の間の値を有する第１の基準電圧と、
前記データ信号が十分大きいときの前記平均値よりも大きい第２の基準電圧と
を備えていることを特徴とする信号入力断検出器。
【請求項６】
請求項１乃至請求項５のいずれかの請求項に記載の信号入力断検出器であって、
前記信号断検出器は、さらに、
前記信号断検出器の入力部に設けられたヒステリシスアンプを備え、
前記データ信号に重畳している雑音よりもヒステリシス幅を広く設定していることを特徴とする信号入力断検出器。
【請求項７】
光入力信号を電気信号に変換する光検出器と、
前記電気信号を所定の振幅まで増幅するアンプと、
ＶＣＯを内蔵し前記アンプの出力に同期したクロックを生成する周波数同期位相ループと、
前記アンプの出力を前記クロックにより識別を行う識別器と、
請求項１乃至請求項６のいずれかの請求項に記載された信号入力断検出器と
を備えていることを特徴とする光受信器。
【請求項８】
光入力信号から電気信号に変換されたデータ信号のレベルを検出し、予め定められた値を下回っている場合には、第１のアラーム信号を発出する信号入力断検出工程と、
電圧制御発振器（ＶＣＯ）の周波数と位相が前記データ信号に同期するように制御するＶＣＯ制御信号を監視し、予め定められた値を上回っているときに第２のアラーム信号を発出する同期はずれ検出工程と
を備え、
前記信号入力断検出工程は、
前記データ信号の自己相関を算出し自己相関信号として出力する自己相関検出工程と、
前記自己相関信号の大きさを少なくとも１つの所定の基準電圧と比較し、前記自己相関信号の方が大きい場合に前記第１のアラーム信号を出力する第１の比較工程と
を備え、
前記同期はずれ検出工程は、
電圧制御発振器（ＶＣＯ）の周波数と位相が前記データ信号に同期するように制御するＶＣＯ制御信号と所定の基準電圧を比較し、ＶＣＯ制御信号の方が大きいときは前記第２のアラーム信号を出力する第２の比較工程と
を備えており、
前記信号入力断検出工程の前記第１のアラーム信号の発出領域と、
前記同期はずれ検出工程の前記第２のアラーム信号の発出領域と
が重なるように、前記第１の比較工程の前記基準電圧が設定されて
いることを特徴とする信号入力断検出方法。
【請求項９】
請求項８記載の信号入力断検出方法であって、
前記信号入力断検出方法は、さらに、
前記第１のアラーム信号及び第２のアラーム信号の発出状況に応じて第３のアラーム信号を発出するアラーム処理工程
を備えていることを特徴とする信号入力断検出方法。
【請求項１０】
請求項８または請求項９のいずれかの請求項に記載された信号入力断検出方法であって、
少なくとも１つの所定の基準電圧は、
前記データ信号が十分大きいときの前記平均値と零の間の値を有する第１の基準電圧と、
前記データ信号が十分大きいときの前記平均値よりも大きい第２の基準電圧と
を備えていることを特徴とする信号入力断検出方法。
【請求項１１】
光入力信号を電気信号に変換し所定の振幅まで増幅する工程と、
ＶＣＯを内蔵し、前記所定の振幅まで増幅されたデータ信号に同期したクロックを生成する工程と、
前記所定の振幅まで増幅されたデータ信号を前記クロックにより識別を行う工程と、
請求項８乃至請求項１０のいずれかの請求項に記載された信号入力断検出方法と
を備えていることを特徴とする光受信方法。
【発明の詳細な説明】
【０００１】
【発明の属する技術分野】
本発明は、光受信器及び光受信方法に関し、特に、信号断検出器及び信号断検出方法に関する。
【０００２】
【従来の技術】
光通信システムの信頼性を高め、万一故障が発生した際に迅速な対応をとることを可能とするためには、システム各部の障害検出機能を充実させることが望まれる。
【０００３】
光受信器については、このような目的のもと、従来から信号が断となったことを検出する機能が設けられている。従来の信号断検出回路の構成を図１２に示す。
図１２の信号断検出回路は、光検出器１０、プリアンプ１１、自動利得制御機能（ＡＧＣ）付きアンプまたはリミッタアンプ１２、帯域通過フィルタ１３、増幅器１４、リミッタアンプ１５、ピーク値検出回路１６、遅延素子１７、識別回路１８、比較器１９を含んで構成されている。光受信器に入力された光信号は、光検出器１０で電気信号に変換され、さらに、プリアンプ１１、ＡＧＣアンプまたはリミッタアンプ１２により、所定のレベルの信号に増幅される。ＡＧＣアンプまたはリミッタアンプ１２の出力は２分岐され、その一方は、識別回路１８のデータ入力端子に印加される。２分岐された信号のもう一方は、帯域通過フィルタ１３に入力され、データ信号に含まれているクロック成分が抽出される。抽出されたクロック信号は、増幅器１４及びリミッタアンプ１５で所定のレベルに増幅された後、識別回路１８に入力され、データ信号の識別クロックとして用いられる。なお、クロック信号とデータ信号の遅延差を遅延素子１７により補償している。
【０００４】
ここで、増幅器１４の出力の一部はピーク値検出回路１６に入力される。ピーク値検出回路１６では入力されるクロック信号のピークレベルを検出し、比較器１９によりこれが所定のレベルに達しているか否かにより、クロック信号の有無を判定する。クロック信号が無いと判定されれば、光受信器に適正な光信号が入力されていないか、あるいは、光受信器内で何らかの異常が発生したかのいずれかであることを知ることができる。
【０００５】
【発明が解決しようとする課題】
昨今の光通信の分野では、中継器に光中継増幅器を使用したり、光ファイバ一本あたりの伝送容量を増やすために波長分割多重（ＷＤＭ）伝送をおこなう場合が多い。
【０００６】
このような伝送系では、伝送路や光送受信器や中継器の障害で光データ信号が無くなった場合、各光中継増幅器で発生する自然放出雑音光（Amplified Spontaneous Emission，ASE）が累積されて光受信器に到達する。また、波長分割多重（ＷＤＭ）伝送では、一部の波長チャネルの光データ信号が何らかの障害で消失したとき、各波長チャネル間のパワーバランスをとるため信号消失した波長にダミー信号（ＣＷ光）を乗せる、キープアライブ(Keep alive)と呼ばれている処置を行う場合がある。これらの場合、波長光自体は存在するものの、信号が無いので、異常として検出される必要がある。ＡＳＥによる雑音やキープアライブ(Keep alive)時には、光受信器はレベルの高い雑音を受ける可能性があり、従来の方法では信号断検出が困難である。
【０００７】
本発明は、このような、波長分割多重（ＷＤＭ）伝送系や光中継増幅器を含む伝送系においても確実に信号断検出ができる機能を備えた信号入力断検出器を提供することを目的とする。
【０００８】
【課題を解決するための手段】
上記目的を達成するために、本発明の信号入力断検出器は、光入力信号を電気信号に変換し、所定の振幅まで増幅されたデータ信号のレベルを検出し、予め定められた値を下回っている場合には、第１のアラーム信号を発出する信号断検出器と、前記データ信号と電圧制御発振器（ＶＣＯ）との周波数と位相を同期させる周波数位相同期ループからのＶＣＯ制御信号が、予め定められた値を上回っているとき、すなわち同期はずれのとき第２のアラーム信号を発出する同期はずれ検出器とを備え、前記信号断検出器は、前記データ信号の自己相関を算出し、自己相関信号として出力する自己相関検出器と、前記自己相関信号の大きさを少なくとも１つの所定の基準電圧と比較し、前記自己相関信号の方が大きい場合に前記第１のアラーム信号を出力する第１の比較器とを備え、前記同期はずれ検出器は、前記電圧制御発振器（ＶＣＯ）の周波数と位相が前記データ信号に同期するように制御するＶＣＯ制御信号と所定の基準電圧を比較し、ＶＣＯ制御信号の方が大きいときは前記第２のアラーム信号を出力する第２の比較器とを備えており、前記信号断検出器の前記第１のアラーム信号の発出領域と、前記同期はずれ検出器の前記第２のアラーム信号の発出領域とが重なるように、前記第１の比較器の前記基準電圧が設定されている。
【０００９】
前記信号入力断検出器は、さらに、前記第１のアラーム信号及び第２のアラーム信号の発出状況に応じて第３のアラーム信号を発出するアラーム処理器を備えていてもよい。
【００１１】
また、前記自己相関検出器は、前記データ信号を予め定められた遅延時間だけ遅延させ、遅延データ信号として出力する遅延素子と、前記データ信号と前記遅延データ信号の排他的論理和を求め、排他的論理和信号として出力する排他的論理和回路と、前記排他的論理和信号の平均値を算出する第１の積分器とを備えていてもよい。
【００１２】
ここで、前記遅延時間は、前記データ信号の１ビットの時間長の半分の時間であるように構成してもよい。
【００１３】
また、前記少なくとも１つの所定の基準電圧は、前記データ信号が十分大きいときの前記平均値と零の間の値を有する第１の基準電圧と、前記データ信号が十分大きいときの前記平均値よりも大きい第２の基準電圧とを備えていてもよい。
【００１４】
また、前記信号断検出器は、さらに、前記信号断検出器の入力部に設けられたヒステリシスアンプを備え、前記データ信号に重畳している雑音よりもヒステリシス幅を広く設定していてもよい。
【００１６】
本発明による信号入力断検出方法は、光入力信号を電気信号に変換し所定の振幅まで増幅されたデータ信号の自己相関性を検出し、予め定められた値を下回っている場合には、第１のアラーム信号を発出する信号断検出工程と、前記データ信号とＶＣＯとの周波数と位相を同期させる周波数位相同期ループからのＶＣＯ制御信号が、予め定められた値を上回っているとき、すなわち同期はずれのとき第２のアラーム信号を発出する同期はずれ検出工程とを含み、前記信号入力断検出工程は、前記データ信号の自己相関を算出し自己相関信号として出力する自己相関検出工程と、前記自己相関信号の大きさを少なくとも１つの所定の基準電圧と比較し、前記自己相関信号の方が大きい場合に前記第１のアラーム信号を出力する第１の比較工程とを含み、前記同期はずれ検出行程は、周波数位相同期ループからのＶＣＯ制御信号から誤差の度合いに応じた電圧を出力する誤差検出行程と、誤差検出行程の出力を基準電圧と比較し予め定められた値を上回っているとき、すなわち同期はずれのとき第２のアラーム信号を出力する第２の比較行程とを含んでおり、前記信号入力断検出工程の前記第１のアラーム信号の発出領域と、前記同期はずれ検出工程の前記第２のアラーム信号の発出領域とが重なるように、前記第１の比較工程の前記基準電圧が設定されている。
【００１７】
さらに、前記第１のアラーム信号及び第２のアラーム信号の発出状況に応じて第３のアラーム信号を発出するアラーム処理工程を含んでいてもよい。
【００１９】
また、前記少なくとも１つの所定の基準電圧は、前記データ信号が十分大きいときの前記平均値と零の間の値を有する第１の基準電圧と、前記データ信号が十分大きいときの前記平均値よりも大きい第２の基準電圧とを備えていてもよい。
【００２１】
以上述べてきたように、本発明においては、入力されるデータ信号のレベルを検出し、予め定められた値を下回っている場合には、第１のアラーム信号を発出する信号断検出器と、周波数位相同期ループからのＶＣＯ制御信号が、予め定められた値を上回っているとき、すなわち同期はずれのとき第２のアラーム信号を発出する同期はずれ検出器とを備えている。これら２つの検出器を用い、各々の検出器の検出結果を勘案することにより、障害に対し確実にアラームを発出することができるとともに、障害箇所を切り分けることも可能となる。
【００２２】
【発明の実施の形態】
本発明の信号入力断検出器の構成及びその動作を図面を用いて説明する。
【００２３】
（第１の実施例）
本発明の第１の実施例による信号入力断検出器の構成を図１に示す。本実施例の信号入力断検出器は、信号断検出器１０１、同期はずれ検出器１０２、アラーム処理器１０３を含んで構成される。
【００２４】
信号断検出器１０１は、入力される信号が所定の自己相関性を有しているか否かを判定し、有していない場合には異常発生の旨の信号を出力する。
【００２５】
同期はずれ検出器１０２は、入力される信号とＶＣＯとの周波数と位相を同期させる周波数位相同期ループからのＶＣＯ制御信号が、一定レベル以上に増大した場合には、同期はずれが発生したと判断し、異常発生を示す信号を出力する。
【００２６】
アラーム処理器１０３は、信号断検出器１０１と同期はずれ検出器１０２の出力信号が入力され、信号断検出器１０１と同期はずれ検出器１０２の出力信号を勘案して異常発生を示す信号を出力する。本実施例では上記回路の少なくとも一方が異常発生を示す信号を出力している場合に、本光受信器で異常が発生したものと判断して異常発生を示す信号を出力する。
【００２７】
上記信号断検出器１０１及び同期はずれ検出器１０２の内部構成を含む信号入力断検出器の構成を図２に示す。図２中、信号断検出器１０１は、自己相関検出器２０１、比較器２０２を含んで構成される。また、同期はずれ検出器１０２は、比較器２０３を含んで構成される。なお、自己相関検出器２０１の構成の一例を図３に示す。図３の自己相関検出器２０１は、遅延素子３０１と排他的論理和回路３０２と積分器３０３とを含んで構成されている。遅延素子３０１での遅延時間は、本実施例ではデータ信号の１ビット長の半分の時間に設定してある。
【００２８】
自己相関検出器２０１は、入力されるデータ信号の自己相関を算出しするため、データ信号を２分岐し、一方を遅延素子３０１により所定の時間だけ遅延させ、他方の信号との排他的論理和を求め、次段の積分器３０２で所定時間の間積分され、その平均値を出力する。
【００２９】
自己相関検出器２０１の出力は、比較器２０２で所定の基準電圧と比較され、正常／異常が判別される。この際、自己相関検出器２０１の出力が正常時（ＶＳ）より大きい場合の異常と正常時（ＶＳ）より小さい場合の異常をともに検出するため、基準電圧を２つ（以下、Ｖｒｅｆ１、Ｖｒｅｆ２）用意する。その上で、自己相関検出器２０１の出力がＶｒｅｆ１とＶｒｅｆ２の間の値である場合は正常、その他の場合は異常、と判定する。
【００３０】
次に、同期はずれ検出器につき説明する。同期はずれ検出器は、データ信号とＶＣＯとの周波数と位相を同期させる周波数位相同期ループからのＶＣＯ制御信号と所定の基準電圧と比較器２０３で比較し、基準電圧より大きい場合には同期はずれ、すなわち異常発生と判断して、その旨の信号（異常の場合、ハイレベルとなる論理信号）を出力する。
【００３１】
ＶＣＯ制御信号はＶＣＯの周波数と位相をデータ信号に同期させるための制御信号であるが、ＶＣＯとデータとの位相誤差または周波数誤差に対応しているのでこの信号を監視することにより、位相誤差または周波数誤差の多寡を知ることができる。
【００３２】
本実施例の動作について図４と図５を用いて説明する。
【００３３】
入力される光信号のパワーと自己相関検出器２０１の出力の関係を図４に示す。光入力レベルが大きいとき、データ信号がマーク率１／２のＮＲＺ符号であれば、出力はデータ信号のピーク値のほぼ１／４（ＶＳ）となる。しかしながら、光入力レベルが小さくなり、雑音パワーが相対的に大きくなると自己相関性がくずれ、ランダム雑音に近づくため、データ信号のピーク値の１／４から、アラームしきい値Ｖｒｅｆ２を越え、データ信号のピーク値の１／２（ＶＮ）に近づく。  従って、信号断検出器１０１は光入力レベルＰ０（光入力断）〜Ｐ４（アラームしきい値Ｖｒｅｆ２）でアラームを発出することができる。また電気回路の故障で信号そのものがなくなった場合でも当然アラームを発出できる。しかしながら、光入力レベルがＰ４（アラームしきい値Ｖｒｅｆ２）以下にならないとアラームを発出しないので、データ信号のＳ／Ｎが劣化し、所定の伝送路品質を確保できない領域Ｐ０〜Ｐ６全域にわたってアラームを発出することはできない。
【００３４】
一方、同期はずれ検出器１０２は、データ信号のＳ／Ｎが劣化して、所定の伝送品質を確保できなくなる、光入力レベルＰ０〜Ｐ６の領域でアラームを発出することができるが、電気回路の故障で信号そのものが無くなるとＶＣＯ制御信号を検出できなくなって、アラームを発出することができない。
【００３５】
すなわち、信号断検出器１０１と同期はずれ検出器１０２の両方を用いることで、データ信号のＳ／Ｎが劣化して、定められた伝送品質を確保できない光レベルＰ０〜Ｐ６の全領域、また、電気回路の故障時にも確実にアラームを出すことができる。
【００３６】
図５に光データ信号断時のＡＳＥ起因雑音のみ又はキープアライブ時ＣＷ受信時の光入力レベルと自己相関検出器２０１の出力を示す。
光信号に重畳されるべき変調信号が断となった場合は、ランダム雑音となるのでデータ信号のピーク値の１／２（ＶＮ）のレベルを維持する。キープアライブ(Keep alive)によるＣＷ光を受信した場合も同様である。従って、信号断検出器１０１は、確実にアラームを出すことができる。
【００３７】
一方、同期はずれ検出器１０２も、光入力があれば、それは雑音成分のみなので確実にアラームを出すことができる。ただし、電気回路故障のように周波数位相同期ループへの信号そのものがなくなれば、アラームを発出することができない。
【００３８】
（第２の実施例）
本発明の第１の実施例では、信号断検出器やクロック再生を行う周波数位相同期ループへデータ信号を供給するＡＧＣアンプやリミッタアンプの利得が十分にある場合は、光入力レベルの変動に関わらず一定振幅を維持でき、また光入力断の場合でもプリアンプ等から発生する熱雑音を増幅して一定振幅を維持できる。しかしながら、実際の設計では、ＡＧＣアンプやリミッタアンプの利得は、アンプの安定動作を優先して、利得をある程度低くおさえる場合が多い。
【００３９】
このような場合、図７を参照すると、例えば光入力レベルがＰ４以下になると、ＡＧＣアンプやリミッタアンプは、所定の振幅が維持できなくなる。このため自己相関検出器の出力は、Ｐ４をピークに減少し始め、Ｐ１からＰ３の間ではアラームを発出できなくなる。さらに光レベルがＰ１以下になると再びアラームを発出する。
【００４０】
一方、同期はずれ検出器は、光入力レベルＰ２以下になると周波数位相同期ループを安定的に動作させるに必要なデータ振幅が足りなくなり、安定的に動作できなくなる。従って、光入力レベルＰ１からＰ２の間に、アラームを確実に発出できない領域ができるという欠点がある。光データ信号断時のＡＳＥ起因雑音のみ又はキープアライブ時ＣＷ受信時にも図８に示すように光入力レベルＰ１からＰ２の間に、アラームを確実に発出できない領域ができる。
このような欠点を克服したのが、本発明の第２の実施例である。本発明の第２の実施例による信号入力断検出器の構成を図６に示す。本実施例では、第１の実施例による信号入力断検出器において、ヒステリシスアンプ５０１が新規に設けられている。ヒステリシスアンプ５０１は、入出力の関係がヒステリシス特性を有するアンプである。
【００４１】
ヒステリシスアンプ５０１に適切なヒステリシス幅を設定することにより、入力される光信号パワーが小さいときの雑音パワーの影響を小さくすることが可能となる。すなわち、重畳している雑音がヒステリシス幅以下であれば、ヒステリシスアンプ５０１の出力は変化しないので、データ信号とは独立なランダムパターンとして自己相関検出器２０１に入力される雑音が減少することになる。さらに、信号成分の平均値は光入力レベルの減少とともに０に近づくので、自己相関検出器２０１の出力も図９に示すように、光入力レベルに対して単調に減少する。このため、比較器２０２では、正常／異常の判定を行うに際し、基準電圧（Ｖｒｅｆ１）を１つのみ設定すれば十分である。
【００４２】
同期はずれ検出器は、第一の実施例と同様に光入力Ｐ２以下では動作不安定となるので、光入力レベルＰ０〜Ｐ４の全領域にわたって確実にアラームを出すには、信号断検出器１０１と同期はずれ検出器１０２の両方を併用する必要がある。このとき、信号断検出器１０１のアラーム発出領域と同期はずれ検出器１０２のアラーム発出領域が重なるように基準電圧（Ｖｒｅｆ１）を設定することはいうまでもない。
【００４３】
また、ＡＳＥ起因ノイズやキープアライブ(Keep alive)においても、図１０に示すように、確実にアラームを発出するには、信号断検出器１０１と同期はずれ検出器１０２の併用が必要である
さらに、本実施例では、上記２つの回路の出力を組み合わせて監視することにより、異常の発生箇所をある程度把握することできる。このための表を図１１に示す。例えば、信号入力検出器１０１の出力がアラームを発出し、同期はずれ検出器１０２の出力が不安定であれば、光受信器への入力が断であることがわかる。
【００４４】
（第３の実施例）
図１３は、本発明の信号入力断検出器を用いた光受信器の構成例である。
【００４５】
光入力信号を電気信号に変換する光検出器１０とプリアンプ１１、プリアンプ１１の出力を所定の振幅まで増幅するＡＧＣアンプまたはリミッタアンプ１２、ＶＣＯを内蔵し、ＡＧＣアンプまたはリミッタアンプ１２の出力（データ信号）に同期したクロックを生成する周波数同期位相ループ２０、前記データ信号を前記クロックにより識別を行う識別器１８、前記データ信号の有無を検出する信号断検出器１０１、周波数同期位相ループ２０のＶＣＯ制御信号を受けて同期はずれを検出する同期はずれ検出器１０２と、信号断検出器１０１からのアラームと同期はずれ検出器１０２からのアラームを処理するアラーム処理回路から構成される。
【００４６】
【発明の効果】
以上説明したように、本発明による信号入力断検出器においては、信号断検出器及び同期はずれ検出器を備え、双方の検出器のアラーム出力を組み合わせることにより、光受信器で想定される障害に対し、確実にアラームを発出することができ、またある程度異常の発生箇所を把握することができる。
【図面の簡単な説明】
【図１】本発明による信号入力断検出器の基本構成を表す図である。
【図２】本発明の第１の実施例による信号入力断検出器の構成を表す図である。
【図３】本発明の信号入力断検出器で用いる自己相関検出器の構成を表す図である。
【図４】光入力レベルと自己相関検出器の出力の関係を表す図である。
【図５】光入力レベルと自己相関検出器の出力の関係(光データ信号断時のＡＳＥ起因雑音又はキープアライブ時) を表す図である。
【図６】本発明の第２の実施例による信号入力断検出器の構成を表す図である。
【図７】AGCアンプまたはリミッタアンプの利得が安定度を優先した場合の光入力レベルと自己相関検出器の出力の関係を表す図である。
【図８】AGCアンプまたはリミッタアンプの利得が安定度を優先した場合の光入力レベルと自己相関検出器の出力の関係(光データ信号断時のＡＳＥ起因雑音又はキープアライブ時) を表す図である。
【図９】第２の実施例における光入力レベルと自己相関検出器の出力の関係を表す図である。
【図１０】第２の実施例におけるの光入力レベルと自己相関検出器の出力の関係(光データ信号断時のＡＳＥ起因雑音又はキープアライブ時)を表す図である。
【図１１】各障害におけるアラームの発出状況を示す表である。
【図１２】従来技術による光受信器の構成を表す図である。
【図１３】本発明の信号入力断検出器を用いた光受信器を表す図である。
【符号の説明】
１０：光検出器
１１：プリアンプ
１２：ＡＧＣ付きリミッタアンプ
１３：帯域通過フィルタ
１４：増幅器
１５：リミッタアンプ
１６：ピークディテクタ
１７：遅延素子
１８：識別回路
１０１：信号断検出器
１０２：同期はずれ検出器
１０３：アラーム処理器
２０１：自己相関検出器
２０２：比較器
２０３：比較器
３０１：遅延素子
３０２：排他的論理和回路
５０１：ヒステリシスアンプ
【図１】
0003541781.tif 000002
【図２】
0003541781.tif 000003
【図３】
0003541781.tif 000004
【図４】
0003541781.tif 000005
【図５】
0003541781.tif 000006
【図６】
0003541781.tif 000007
【図７】
0003541781.tif 000008
【図８】
0003541781.tif 000009
【図９】
0003541781.tif 000010
【図１０】
0003541781.tif 000011
【図１１】
0003541781.tif 000012
【図１２】
0003541781.tif 000013
【図１３】
0003541781.tif 000014